【手続補正書】
【提出日】平成30年4月16日(2018.4.16)
【手続補正１】
【補正対象書類名】明細書
【補正対象項目名】００１５
【補正方法】変更
【補正の内容】
【００１５】
次に、ボトム支持４について説明する。
ボトム支持４は、図４に示すように、平面視において矩形状の支持パイプ４ａの上端部に一定間隔をおいて支持プレート４ｂ，４ｂを固着している。
そして、下端には平面視において逆Ｖ字形状になるように配設されたワイドパイプ４ｃ，４ｃを固着し、該ワイドパイプ４ｃ，４ｃの前方には平面視において逆三角形状に形成された支持ベース４ｄを固着している。
そして、平面視において該支持ベース４ｄの両端に穿設した孔４３ｄ，４３ｄの裏側に締結部材４ｅ，４ｅを固着している。なお、本実施例では該締結部材４ｅ，４ｅにはナットを使用している。
そして、前記昇降機構３の外マスト１０の上端前方に固着した、正面視において上側を開放した略コ字形状に形成されたボトム支持トリツケ１０ｂの内側に配設したボトム支持トリツケピン１０ｃに前記支持プレート４ｂ，４ｂの溝４１ｂ，４１ｂを係合し、該ボトム支持トリツケ１０ｂの孔１０ｄ,１０ｄと該支持プレート４ｂ，４ｂの孔４２ｂ，４２ｂを締結部材（図示省略）で取着することで、昇降機構３にボトム支持４を取り付けている。
【手続補正２】
【補正対象書類名】明細書
【補正対象項目名】００１６
【補正方法】変更
【補正の内容】
【００１６】
次に、ボトムベース５について説明する。
ボトムベース５は、図５に示すように、側面視において上側開放に略コ字状に形成されたベースプレート５ａに、平面視において該ベースプレート５ａの両側にベースサイドパイプ５ｂ，５ｂを、円筒形状の背トリツケボス５ｃ，５ｃをそれぞれ配設して固着している。
そして、平面視において該ベースサイドパイプ５ｂ，５ｂの左端に、正面視において略Ｌ字状に形成したベースサイドエンド５ｄを、外側には腰ボトムトリツケ５ｅ，５ｅを、内側には正面視において上側開放した略コ字状のボトムベースコテイプレート５ｆをそれぞれ固着している。
そして、該ベースプレート５ａに穿設した孔５１ａ，５２ａにはそれぞれ第一支点ボス部材５ｇと第二支点ボス部材５ｈを固着している。
そして、前記ボトム支持４の前記支持ベース４ｄに、平面視において略Ｗ状に穿設した第一支持溝４１ｄと、平面視において該第一支持溝４１ｄの下側に上下方向に１本線状に穿設した第二支持溝４２ｄに対して、該第一支持溝４１ｄには該ボトムベース５の該第一支点ボス部材５ｇを、該第二支持溝４２ｄには該ボトムベース５の該第二支点ボス部材５ｈをそれぞれ挿通し、締結部材５ｉ，５ｉと締結部材５ｊ，５ｊで取り付けている。
なお、本実施例では該締結部材５ｉ，５ｉには螺子を、該締結部材５ｊ，５ｊにはナットを使用している。
また、前記ボトム支持４と前記ボトムベース５の間にスラシ５ｋ，５ｋ，・・・を介して、締結部材５ｉ，５ｉ及び締結部材５ｊ，５ｊで取り付けている。
これは、後述する背ボトム６と脚ボトム８の組み替え時にスムーズに動作するように面当たりを良くするためである。
そして、前記ベースプレート５ａに穿設した孔５３ａと前記ボトムベースコテイプレート５ｆに穿設した孔５１ｆを、前記支持ベース４ｄの孔４３ｄ，４３ｄを介して前記締結部材４ｅ，４ｅに、締結部材５ｌ，５ｌを螺着して、ボトム支持４とボトムベース５が動かないように固定している。
なお、本実施例では該締結部材５ｌ，５ｌには螺子を使用している。
【手続補正３】
【補正対象書類名】明細書
【補正対象項目名】００２１
【補正方法】変更
【補正の内容】
【００２１】
次に、角度調整機構１３について説明する。
角度調整機構１３は、まず、図６及び図７で示すように、前記ボトムベース５の前記ベースプレート５ａの一端部に一定間隔をおいて略平行に配設されたシリンダトリツケシタ５ｍ，５ｍの内側にはシリンダナカ１３ａを、外側にはシテンローラー１３ｂ，１３ｂをそれぞれ配設し、それぞれをシテンピン１３ｃで回動可能に軸着している。
そして、該シリンダナカ１３ａを覆うようにシリンダソト１３ｄに該シリンダナカ１３ａを挿通した状態で、前記背ボトム６の前記背ボトムプレート６ｄに一定間隔をおいて略平行に配設されたシリンダトリツケウエ６ｊ，６ｊの内側に配設し、該シリンダトリツケウエ６ｊ，６ｊの両外側には背シテンローラー１３ｅ，１３ｅを配設し、それぞれを背シテンピン１３ｆで回動可能に軸着している。
そして、図８に示すように、側面視において略コ字状に形成されるレバートリツケ１３ｇの開放した端部を該シリンダソト１３ｄの外周と接するように固着している。
そして、該レバートリツケ１３ｇの内側にレバー１３ｈ及びロックプレート１３ｉを、該レバー１３ｈの円弧状溝１３１ｈと該ロックプレート１３ｉの円弧状溝１３１ｉが該レバートリツケ１３ｇの孔挿通するレバーシテン１３ｊの外周に接するように配設している。
そして、該レバー１３ｈの溝１３２ｈと該ロックプレート１３ｉの溝１３２ｉの間には第一弾性体１３ｋを、該レバー１３ｈの溝１３３ｈと該レバートリツケ１３ｇの端面１３１ｇの間には第二弾性体１３ｌをそれぞれ配設している。なお、本実施例で使用する該第一弾性体１３ｋ及び第二弾性体１３ｌは圧縮スプリングを使用している。
そして、該ロックプレート１３ｉの係合凸部１３３ｉが該シリンダソト１３ｄに穿設した孔１３１ｄを通行して、該シリンダナカ１３ａの設けられた複数の溝１３１ａ，１３１ａ，・・・に係合するように配置している。
なお、本実施例では溝１３１ａを３ヶ所設けているが、溝の数は３ヶ所に限定するものではなく、必要とする数を設けたので良い。
そして、該シリンダソト１３ｄの孔を介して該シリンダナカ１３ａの長孔１３２ａにピン部１３１ｍを挿通して、ストッパー部材１３ｍを取り付けている。
【手続補正４】
【補正対象書類名】明細書
【補正対象項目名】００２５
【補正方法】変更
【補正の内容】
【００２５】
次に、ボトム機構１の背ボトム６と脚ボトム８の組み替えを説明する。
本実施例では、図１で示すように、正面視において右側に背ボトム６、左側に脚ボトム８が配置された状態から、右側に脚ボトム８、左側に背ボトム６に組み替える手順で説明する。
まず、前記ストッパー部材１３ｍを外すことで、背ボトム６を背上げ時に前記ストッパー部材１３ｍのピン部１３１ｍが前記シリンダナカ１３ａの長孔１３２ａによる角度規制が無くなる。
その状態で背上げを行い、前記ロックプレート１３ｉの係合凸部１３３ｉが前記シリンダナカ１３ａの上面１３３ａと係合するまで背上げを行う。
そうすると、図１３で示すように背ボトム６が略垂直に背上げされる。
この時、図１１で示すように、角度調整機構１３のロックプレート１３ｈの係合凸部１３１ｉはシリンダナカ１３ａの上面１３３ａと係合して保持される。
そして、脚ボトム８の前記軸部材８ｊを外すことで、図１３の点線部に示すように、正面視において脚ボトムを時計周りに回動することができる。
そして、図５に示すように、前記ボトムベース５の螺子５ｌ，５ｌを外すことで、ボトム支持４とボトムベース５の固定が解除される。
そして、平面視において反時計周りにボトム機構１を回転させる。
そうすると、図１４に示すように、前記ボトムベース５の前記第一支持溝４１ｄを前記第一支点ボス部材５ｇ、前記第二支持溝４２ｄを前記第二支点ボス部材５ｈが転動することによってボトムベース５が１８０度回転して該ボトムベース５上に配設される背ボトム６と脚ボトム８が組み替えされる。
そして、背ボトム６と脚ボトム８の組み替えが終われば、脚ボトム８を反時計周りに回動させ元の位置に戻し、該螺子５ｌ，５ｌを螺着してボトム支持４とボトムベース５を固定する。
そして、前記脚ボトム８の前記軸部材８ｊを取り付けることで前記ベースサイドエンド５ｄに掛止している。
上記操作を行うことで、背ボトム６と脚ボトム８の組み替えが完了する。
なお、背ボトム６を略垂直に背上げすることによって、組み替え時に昇降機構３と背ボトム６の干渉を避けることが可能となる。また、このように構成することでボトム支持４を極力小さく構成することが可能となる。
【手続補正５】
【補正対象書類名】図面
【補正対象項目名】図４
【補正方法】変更
【補正の内容】
【図４】
2016202390.tif 000001
【手続補正６】
【補正対象書類名】図面
【補正対象項目名】図５
【補正方法】変更
【補正の内容】
【図５】
2016202390.tif 000002
【手続補正７】
【補正対象書類名】図面
【補正対象項目名】図６
【補正方法】変更
【補正の内容】
【図６】
2016202390.tif 000003
【手続補正８】
【補正対象書類名】図面
【補正対象項目名】図７
【補正方法】変更
【補正の内容】
【図７】
2016202390.tif 000004
【手続補正９】
【補正対象書類名】図面
【補正対象項目名】図１３
【補正方法】変更
【補正の内容】
【図１３】
2016202390.tif 000005